(57)【要約】【課題】  常に最良の周波数信号を選択すると共に、復調不可時間を短くした無線装置を得ることを目的とする。【解決手段】  アンテナ２で受信した基地局からの周波数信号を無線部８で増幅する。増幅した周波数信号を送受信制御部９で復調し、その情報を表示部１２や音声入出力部７へ出力する。補助記憶装置１０には、送受信制御部９が作成した信号リストを記録する領域として、リスト作成用メモリ部１３を確保する。送受信制御部９は、各基地局からの周波数信号の電界強度を測定すると共に、周波数信号を復調して誤り率を測定し、誤り率が予め定められた閾値以上である場合には、信号候補として信号リストに保存する。【選択図】        図１
2006319896.tif 000002
【特許請求の範囲】
【請求項１】
各基地局からの周波数信号の電界強度を測定すると共に、前記周波数信号を復調して誤り率を測定し、前記誤り率が予め定められた閾値以上である場合には、前記周波数信号を信号候補とした信号リストを作成する送受信制御部と、
前記信号リストを保存する補助記憶装置とを備え、
前記送受信制御部が、前記信号リストから前記信号候補を選択して該当する前記周波数信号を捕捉することを特徴とする無線装置。
【請求項２】
前記送受信制御部が、前記電界強度に基づいて、前記信号リスト内での前記信号候補の順位付けを行なうことを特徴とする請求項１記載の無線装置。
【請求項３】
前記送受信制御部が、前記周波数信号に含まれるパイロット信号を前記無線装置の空きタイムスロットに割り当て、前記パイロット信号に埋め込まれた固定パターンに基づいて前記誤り率を測定することを特徴とする請求項２記載の無線装置。
【請求項４】
各基地局からの周波数信号の電界強度を測定して、前記電界強度に基づいて前記周波数信号を信号候補として順位付けした信号リストを作成する送受信制御部と、
前記信号リストを保存する補助記憶装置とを備え、
前記送受信制御部が、前記信号リストから前記信号候補を選択して該当する前記周波数信号を捕捉することを特徴とする無線装置。
【請求項５】
前記送受信制御部が、前記信号候補に該当する前記周波数信号を復調して誤り率を測定し、前記誤り率に基づいて、前記信号リスト内での順位付けを行なうことを特徴とする請求項４記載の無線装置。
【請求項６】
前記誤り率が閾値以下の場合には、前記信号リストから該当する前記信号候補を削除することを特徴とする請求項５記載の無線装置。
【請求項７】
前記送受信制御部が、前記周波数信号に含まれるパイロット信号を前記無線装置の空きタイムスロットに割り当て、前記パイロット信号に埋め込まれた固定パターンに基づいて前記誤り率を測定することを特徴とする請求項５または請求項６記載の無線装置。
【発明の詳細な説明】
【技術分野】
【０００１】
この発明は、無線装置の受信電波劣化時に行う受信電波の周波数選択に関するものである。
【背景技術】
【０００２】
従来の移動端末である無線装置では、無線装置が基地局からの周波数信号の電界強度と、その復調信号の誤り率を基に、無線回線の品質を監視していた。各基地局のサービスエリアは、同一のゾーンで重複しており、その中で最も電界強度の強いサービスエリアの基地局を選んで周波数信号を捕捉していた。
【０００３】
無線装置がゾーン移動した時には、現在の基地局からの周波数信号の電界強度や、その復調信号の誤り率が低下する。この場合に、空タイムスロットを用いて、無線装置自身が複数のサービスエリアのうち、より電界強度の強いサービスエリアの基地局からの周波数信号を捕捉し、順次、捕捉中の周波数信号と電界強度を比較して、最強の電界強度を有する周波数信号を選択する移動通信方法が提供されている（例えば、特許文献１参照）。
【０００４】
【特許文献１】特開平９−３２７０５６号公報
【発明の開示】
【発明が解決しようとする課題】
【０００５】
従来の無線装置は、以上のように構成されていたので、ゾーン移動時に信号品質の劣化が発生した場合には、ゾーンに対応した周波数信号の電界強度を測定して、捕捉中の周波数信号の電界強度と比較を行っていた。従って、補足した周波数信号が妨害波等の影響を受けていて、電解強度は十分なものの信号品質が劣悪である場合には、補足した周波数信号と別の周波数信号について、新たに電界強度の比較を行う必要があった。或いは、周波数信号が同期せず、捕捉ができないという場合があった。その結果、長い復調不可時間が存在してしまい、信号受信をスムーズに行なうことができないという課題があった。
【０００６】
この発明は上記のような課題を解消するためになされたもので、ゾーンに対応した各基地局からの周波数信号の電界強度の測定に加えて、その復調信号の誤り率を測定することにより、常に最良の周波数信号を選択すると共に、復調不可時間を短くした無線装置を得ることを目的とする。
【課題を解決するための手段】
【０００７】
この発明に係る無線装置は、各基地局からの周波数信号の電界強度を測定すると共に、前記周波数信号を復調して誤り率を測定し、前記誤り率が予め定められた閾値以上である場合には、前記周波数信号を信号候補とした信号リストを作成する送受信制御部と、前記信号リストを保存する補助記憶装置とを備えている。
前記送受信制御部が、前記信号リストから前記信号候補を選択して該当する前記周波数信号を捕捉する。
【発明の効果】
【０００８】
この発明によれば、予め一定品質以上の周波数信号を信号リストとして保存し、電界劣化発生時には、信号リストから最良の信号候補を選択して補足するので、別の周波数信号を捕捉するのに要する時間が短縮される。その結果、復調不可時間を短くすることができる。
【発明を実施するための最良の形態】
【０００９】
実施の形態１．
以下、この発明の実施の形態１について説明する。図１は、この発明の実施の形態１に係る無線装置の構成図である。図１に示すように、無線機１は、基地局と無線信号を送受信するアンテナ２と、無線信号を増幅する無線部３と、無線信号の変調と復調を行なう送信制御部（ＣＰＵ）４と、情報を記憶する補助記憶装置５と、音声入出力部７と、表示部８を備えている。
【００１０】
次に、動作について説明する。アンテナ２で受信した基地局からの周波数信号を無線部８で増幅する。増幅した周波数信号を送受信制御部９で復調し、その情報を表示部１２や音声入出力部７へ出力する。補助記憶装置１０には、送受信制御部９が作成した信号リストを記録する領域として、リスト作成用メモリ部１３を確保する。一方、送信する場合は、音声入出力部７に入力した音声を送受信制御部９で変調し、無線部８で増幅してアンテナ２から送信する。
【００１１】
図２は、無通話時に基地局から図１の無線装置に対して送信されるパイロット信号を示す図である。図２に示すように、無通話時に基地局無線機から送信されるパイロット信号９には、情報信号１２に対して固定パターン１０と同期用固定パターン１１を埋め込んでいる。
【００１２】
図３は、この発明の実施の形態１において、図１の無線装置１の動作を示すフローチャートである。送受信制御部４が、図３の処理フローを行うものとする。図３において、先ず、無線装置１が待ち受け状態にあるものとする（ステップＳＴ３０１）。
【００１３】
待ち受け状態において、信号の送受信が行われない時間（以下、空きタイムスロット）が発生した場合（ステップＳＴ３０２）、無線装置１は、ゾーンに対応した各基地局からの周波数信号の電界強度を測定する（ステップＳＴ３０３）。
【００１４】
その際に、各周波数信号を復調して復調信号とする。そして、図２の固定パターン１０を用いて復調信号の誤り率を測定すると共に、その品質の判定を行う（ステップＳＴ３０４）。誤り率は、「ＢＥＲ（Ｂｉｔ  Ｅｒｒｏｒ  Ｒａｔｅ）＝誤りビット数／伝送ビット数」とする。
【００１５】
ステップＳＴ３０４において、復調信号の誤り率が予め定められた閾値以上の場合は良好と判定して、該当する周波数信号を信号候補として信号リスト（図１のリスト作成用メモリ部６）へ保存する（ステップＳＴ３０５）。一方、誤り率が閾値以下の場合は不良と判定して、信号リストへの保存は行わない。そして、ステップＳＴ３０４に戻り、別の周波数信号について、同様に復調信号の誤り率の測定と判定を行う。
【００１６】
信号リスト内において、ステップＳＴ３０３で測定した電界強度の強さに応じて、信号候補を昇順または降順にソートする（ステップＳＴ３０６）。
【００１７】
現在使用している基地局からの周波数信号で電界劣化が発生した場合には（ステップＳＴ３０７）、信号リスト内に保存された信号候補のうち、最強の電界強度を有する信号候補を選択し、該当する基地局からの周波数信号の捕捉を開始する（ステップＳＴ３０８）。
【００１８】
捕捉した周波数信号の品質を判定し（ステップＳＴ３０９）、品質が良好の場合には捕捉完了とする（ステップＳＴ３１０）。最後に、無線装置１は再び待ち受け状態となる（ステップＳＴ３１１）。一方、品質が不良の場合にはステップＳＴ３０８へ戻り、次の電界強度を有する信号候補について同様の処理を行なう。補足した周波数信号の品質の判定は、ステップＳＴ３０４と同様に、復調信号の誤り率を測定して行なう。
【００１９】
図３において、ステップＳＴ３０７〜ステップＳＴ３１０の間は復調不可時間１３であり、それ以外は復調可能時間１４である。予め信号リスト内に電界強度と品質の良好な周波数信号を信号候補として保存しておくことで、電界劣化発生時の新たな周波数信号の捕捉に要する時間を短くすることができる。その結果、復調不可時間１３を短くすることができる。
【００２０】
この実施の形態１によれば、予め一定品質以上の周波数信号を信号候補として信号リストに保存し、電界劣化発生時には信号リストから最良の信号候補を選択して補足するので、別の周波数信号を捕捉するのに要する時間が短縮される。その結果、復調不可時間を短くすることができる。
【００２１】
実施の形態２．
以下、この発明の実施の形態２について説明する。実施の形態２に係る無線装置は、実施の形態１の無線装置（図１の無線装置１）と同構成であるので、説明を省略する。また、実施の形態１と同様に、無通話時に基地局無線機から図２のパイロット信号９が送信されるものとする。
【００２２】
次に、動作について説明する。各構成要素の動作については、実施の形態１と相違する部分のみを説明する。図４は、この発明の実施の形態２において、図１の無線装置１の動作を示すフローチャートである。送受信制御部４が、図４の処理フローを行うものとする。図４において、先ず、無線装置１が待ち受け状態にあるものとする（ステップＳＴ４０１）。
【００２３】
待ち受け状態において、空きタイムスロットが発生した場合（ステップＳＴ４０２）、無線装置１は、ゾーンに対応した各基地局からの周波数信号の電界強度を測定する（ステップＳＴ４０３）。
【００２４】
各周波数信号を、信号候補として信号リスト（図１のリスト作成用メモリ部６）へ保存する（ステップＳＴ４０４）。
【００２５】
信号リスト内において、ステップＳＴ４０３で測定した電界強度の強さに応じて、信号候補を昇順または降順にソートする（ステップＳＴ４０５）。
【００２６】
信号リスト内の信号候補に該当する周波数信号を復調して復調信号とする。そして、図２の固定パターン１０を用いて復調信号の誤り率を測定すると共に、その品質の判定を行う（ステップＳＴ４０６）。誤り率は、「ＢＥＲ＝誤りビット数／伝送ビット数」とする。
【００２７】
ステップＳＴ４０６において、誤り率が不良の場合は、信号リスト内の該当する信号候補を削除するか、その順位を下げる（ステップＳＴ４０７）。一方、誤り率が良好の場合は、ステップＳＴ４０６に戻り、信号リスト内の別の信号候補について、同様に誤り率の測定と判定を行う。誤り率の判定を行う場合に、実施の形態１と同様に閾値との比較を行ってもよい。
【００２８】
現在使用している基地局からの周波数信号で電界劣化が発生した場合には（ステップＳＴ４０８）、信号リスト内に保存された信号候補のうち最強の電界強度を有する信号候補を選択し、該当する基地局からの周波数信号の捕捉を開始する（ステップＳＴ４０９）。
【００２９】
捕捉した周波数信号の品質を判定し（ステップＳＴ４１０）、品質が良好の場合には捕捉完了とする（ステップＳＴ４１１）。最後に、無線装置は再び待ち受け状態となる（ステップＳＴ４１２）。一方、品質が不良の場合にはステップＳＴ４０９へ戻り、信号リスト内において、次の順位の信号候補について同様の処理を行なう。補足した周波数信号の品質の判定は、ステップＳＴ４０６と同様に、復調信号の誤り率を測定して行なう。
【００３０】
図４において、ステップＳＴ４０８〜ステップＳＴ４１１の間は復調不可時間１７であり、それ以外は復調可能時間１６である。予め信号リスト内に電界強度と品質の良好な周波数信号を信号候補として保存しておくことで、電界劣化発生時の新たな周波数信号の捕捉に要する時間を短くすることができる。その結果、復調不可時間１７を短くすることができる。
【００３１】
この実施の形態２によれば、予め一定品質以上の周波数信号を信号候補として信号リストに保存し、電界劣化発生時には信号リストから最良の信号候補を選択して補足するので、別の周波数信号を捕捉するのに要する時間が短縮される。その結果、復調不可時間を短くすることができる。
【図面の簡単な説明】
【００３２】
【図１】この発明の実施の形態１に係る無線装置の構成図である。
【図２】この発明の実施の形態１において、無通話時に基地局から図１の無線装置に対して送信されるパイロット信号を示す図である。
【図３】この発明の実施の形態１において、図１の無線装置１の動作を示すフローチャートである。
【図４】この発明の実施の形態２において、図１の無線装置１の動作を示すフローチャートである。
【符号の説明】
【００３３】
１  無線装置、２  アンテナ、３  無線部、４  送受信制御部（ＣＰＵ）、５  補助記憶装置、６  リスト作成用メモリ部、７  音声入出力部、８  表示部、９  パイロット信号、１０  固定パターン、１１  同期用固定パターン、１２  情報信号、１３  復調可能時間、１４  復調不可時間、１５  復調可能時間、１６  復調可能時間、１７  復調不可時間、１８  復調可能時間。
【図１】
2006319896.tif 000003
【図２】
2006319896.tif 000004
【図３】
2006319896.tif 000005
【図４】
2006319896.tif 000006